(57)【特許請求の範囲】
【請求項１】
文字盤と、この文字盤の裏側に配設されたムーブメントと、このムーブメントの回転軸に連結されることで、当該ムーブメントにより前記文字盤と略平行な面内で回転駆動される指針と、前記文字盤の裏側に該文字盤と略平行に配設された配線板と、該配線板上に搭載された指針照明用の光源と、を有し、
前記指針が、前記文字盤の表側に沿って延出された指示部と、前記光源からの光を前記指示部まで導く導光体とからなると共に、該導光体が、前記文字盤の表側に配された第１導光部材と、前記文字盤の裏側に配され且つ文字盤の貫通孔を通して前記第１導光部材と連結された第２導光部材との組み合わせにより構成され、
前記第１導光部材が、前記指示部の一部を兼ねる針状部と、該針状部の基部から垂直下方に突出する軸部と、該軸部の前記第２導光部材側の端面に形成された円形または環状の入射面と、該入射面に対向し且つ該入射面から入射した光を前記針状部に向けて反射する前記軸部の軸線に対して傾斜した斜めの反射面とを有し、
前記第２導光部材が、前記ムーブメントの回転軸に連結された中心軸部と、該中心軸部と一体成形され、前記ムーブメントの回転軸の周囲に配設された前記配線板上の前記光源に向けて裾が広がった円錐状壁部と、該円錐状壁部の裾が広がった側の端面に形成され、前記回転軸の軸線に対して略垂直な面をなし且つ対面する前記光源から出射される光が入射する環状の受光面と、前記中心軸部の第１導光部材側の端面に形成され、前記円錐状壁部の端面の受光面から入射した光を前記第１導光部材の入射面に向けて出射する円形または環状の出射面とを有し、
前記第１導光部材の入射面と対向する斜めの反射面が、分割された複数の反射面で構成され、
前記分割された複数の反射面が、それぞれ第１導光部材の内部側から見て凹状に一体に湾曲した凹曲面で構成されていると共に、前記軸部の中心軸線との交点を境界に分割されていることを特徴とする発光指針計器。
【発明の詳細な説明】
【技術分野】
【０００１】
本発明は、光源を用いて指針を発光させる発光指針計器に係り、特に視認性に優れ、車両用に用いて好適な発光指針計器に関する。
【背景技術】
【０００２】
例えば、自動車用のスピードメータ等のように指針によって表示を行なう指示計器では、指針を文字盤と共に照明するものだけでなく、発光素子等の光源の光を指針に対して別途に導入することによって、指針を発光させるようにしたものがある。こうした発光指針を備えた計器として、例えば、特許文献１に記載のものが知られている。
【０００３】
図１５は特許文献１に記載の発光指針計器の構造を示す断面図である。
【０００４】
この発光指針計器は、文字盤１１２と、文字盤１１２の裏側に配設されたムーブメント１１７と、文字盤１１２の表側から文字盤１１２の貫通孔１１２ａを貫通して文字盤１１２の裏側のムーブメント１１７の回転軸１１８に連結されることで、当該ムーブメント１１７により文字盤１１２と略平行な面内で回転駆動される指針１１０と、文字盤１１２の裏側に文字盤１１２と略平行に配設された配線板１１６と、配線板１１６上に搭載された指針照明用の光源（ＬＥＤ等）１２０と、を有している。
【０００５】
指針１１０は、文字盤１１２の表側に沿って延出された指示部１１０Ａと、光源１２０からの光を指示部１１０Ａまで導く導光体１１０Ｂとからなる。導光体１１０Ｂは、文字盤１１２の表側に配された第１導光部材１２１と、文字盤１１２の裏側に配され且つ文字盤１１２の貫通孔１１２ａを通して第１導光部材１２１と連結された第２導光部材１２２との組み合わせにより構成されている。
【０００６】
第１導光部材１２１は、指示部１１０Ａの主要部を兼ねる針状部１２１ｆと、針状部１２１ｆの基部近傍から垂直下方に延びる軸部１２１ａとを有しており、軸部１２１ａの端部の入射面１２１ｄが、第２導光部材１２２の出射面１２２ｎと結合されている。また、第１導光部材１２１の軸部１２１ａの突き当たり部分には反射部材１２５が設けられており、第２導光部材１２２から入射して軸部１２１ａを通った光が、反射部材１２５により形成される円錐面状の反射面１２１ｅで反射されて、針状部１２１ｆの方向へ導かれるようになっている。針状部１２１ｆへ導かれた光は、反射を繰り返しながら拡散されることで、指示部１１０Ａを照明することになる。
【０００７】
また、第２導光部材１２２は、ムーブメント１１７の回転軸１１８に連結された中心軸部１２２ｃと、その中心軸部１２２ｃと一体成形され、ムーブメント１１７の回転軸１１８の周囲に配設された配線板１１６上の光源１２０に向けて裾が広がった円錐状壁部１２２ａとを有している。
【０００８】
円錐状壁部１２２ａの裾が広がった側の端面には、回転軸１１８の軸線に対して略垂直な面をなした環状の受光面１２２ｄが設けられており、この受光面１１２ｄに、光源１２０から出射される光が入射するようになっている。円錐状壁部１２２ａは、正円錐台の底面に環状の凹部１２２ｂを設けることで形成されている。そして、受光面１２２ｄから入射された光は、円錐状壁部１２２ａの外周壁で形成される第１反射面１２２ｅと内周壁で形成される第２反射面１２２ｆとで反射を繰り返しながら第１導光部材１２１の入射面１２１ｄに到達し、第１導光部材１２１の軸部１２１ａを通って、突き当たりの反射部１２５で反射して指示部１１０Ａに導かれるようになっている。この場合、第１反射面１２２ｅ及び第２反射面１２２ｆは、単純なテーパ面により構成されており、受光面１２２ｄから入射した光は、平面反射を繰り返しながら第１導光部材１２１に到達する。
【特許文献１】特開２００２−２４３５０８号公報
【発明の開示】
【発明が解決しようとする課題】
【０００９】
ところで、上述した特許文献１に記載の発光指針計器では、第１導光部材１２１の軸部１２１ａの突き当たり部分に反射部材１２５を設けて、反射部材１２５により形成される円錐面状の反射面１２１ｅで、軸部１２１ａに入射した光を針状部１２１ｆの方向へ反射するようにしているが、円錐面状の反射面１２１ｅで光を反射する場合、拡散によるロスが大きく、照光効率が悪いという問題がある。そこで、反射面を平面で構成することが考えられるが、反射面を単純に平面で構成した場合、指針１１０の回動に伴い指示部輝度バランスが崩れるという問題がある。
【００１０】
本発明は、上記事情を考慮し、照光ロスを低減しながら、指針回動時の指示部の照明輝度バランスの均一化を図ることができる発光指針計器を提供することを目的とする。
【課題を解決するための手段】
【００１１】
請求項１の発明は、文字盤と、この文字盤の裏側に配設されたムーブメントと、このムーブメントの回転軸に連結されることで、当該ムーブメントにより前記文字盤と略平行な面内で回転駆動される指針と、前記文字盤の裏側に該文字盤と略平行に配設された配線板と、該配線板上に搭載された指針照明用の光源と、を有し、前記指針が、前記文字盤の表側に沿って延出された指示部と、前記光源からの光を前記指示部まで導く導光体とからなると共に、該導光体が、前記文字盤の表側に配された第１導光部材と、前記文字盤の裏側に配され且つ文字盤の貫通孔を通して前記第１導光部材と連結された第２導光部材との組み合わせにより構成され、前記第１導光部材が、前記指示部の一部を兼ねる針状部と、該針状部の基部から垂直下方に突出する軸部と、該軸部の前記第２導光部材側の端面に形成された円形または環状の入射面と、該入射面に対向し且つ該入射面から入射した光を前記針状部に向けて反射する前記軸部の軸線に対して傾斜した斜めの反射面とを有し、前記第２導光部材が、前記ムーブメントの回転軸に連結された中心軸部と、該中心軸部と一体成形され、前記ムーブメントの回転軸の周囲に配設された前記配線板上の前記光源に向けて裾が広がった円錐状壁部と、該円錐状壁部の裾が広がった側の端面に形成され、前記回転軸の軸線に対して略垂直な面をなし且つ対面する前記光源から出射される光が入射する環状の受光面と、前記中心軸部の第１導光部材側の端面に形成され、前記円錐状壁部の端面の受光面から入射した光を前記第１導光部材の入射面に向けて出射する円形または環状の出射面とを有し、前記第１導光部材の入射面と対向する斜めの反射面が、分割された複数の反射面で構成され、前記分割された複数の反射面が、それぞれ第１導光部材の内部側から見て凹状に一体に湾曲した凹曲面で構成されていると共に、前記軸部の中心軸線との交点を境界に分割されていることを特徴とする。
【発明の効果】
【００１４】
請求項１の発明によれば、第１導光部材の入射面と対向する斜めの反射面を、分割された複数の反射面で構成したので、複数の反射面の向きを光源の配置に対応させて設定することにより、指針回動中の輝度バランスを均一に保つことができる。
【００１５】
例えば、極端な例として光源が１つの場合を考えて見る。その場合は、指針の回動により、光源からの光が主に入射する反射面が順次切り替わって行き、その経過において、針状部に近い反射面に主に光が入射する第１の場合と、針状部から遠い反射面に主に光が入射する第２の場合とが存在する。ここで反射面が１つの分割されていない面で構成されているとすると、反射光は第１の場合と第２の場合で同じ方向に平行に進むので、指針の回動により反射面に入射するポイントがずれる分だけ、針状部内の反射光で照らされる領域がずれることになる。そうすると、指針回動中に微妙に輝度バランスが崩れるおそれがある。
【００１６】
それに対し、本発明のように、反射面を、分割した複数の反射面で構成してあると、各反射面の向きをそれぞれに設定することができるので、前記第１の場合と第２の場合とで、針状部内の同じ領域を反射光で照らすようにすることができる。従って、光源が１つの極端な場合であっても、指針の回動による輝度バランスの崩れを抑えることができる。
【００１７】
次に、光源が１８０°対向する位置に２つ配置されている場合を考えて見ると、その場合は、指針が１８０°回動した場合も、同じ条件で光源からの光を針状部に導くことができる。しかし、指針が９０°回動した場合は、条件が異なってしまう。そこで、分割した反射面の向きを光源の配置に対応させて設定しておく。そうすることにより、指針の回動による輝度バランスの崩れを抑えることができる。
【００１８】
光源の数を増やせば、輝度バランスの崩れを抑えることができるが、そうするとコスト高になる。本発明は、それを反射面の多分割により補おうとするものである。つまり、反射面を多分割にして反射光の向きを適当に散らすことにより、指針回動に伴う光源からの光の入射ポイントの変化による輝度バランスの崩れをできるだけ抑制するようにしている。かといって、あまり反射光の向きを散らすと、分散によるロスが増加するので、例えば、針状部に近い反射面に主に光が入射したときは遠く向けて反射するようにし、針状部から遠い反射面に主に光が入射するときは近くに向けて反射するように、反射面の向きを設定する。そうすることより、コストをかけずに、指針回動による輝度バランスの崩れを抑制することができる。
【００１９】
このようにすることで、輝度レベルに応じて光源の数を変更した場合にも、輝度バランスを均一に保ちながら同一の指針の採用が可能となる。
【００２０】
また、分割された各反射面をそれぞれ凹曲面で構成したので、凹曲面による集光作用を促すことができ、狙った領域に反射光を集中させることができ、光の分散によるロスを減らすことができる。
【００２１】
さらに、軸部の中心軸線との交点を境界に反射面を分割しているので、各反射面の設計を合理的に行うことができる。
【発明を実施するための最良の形態】
【００２２】
以下、本発明による発光指針計器を自動車用のスピードメータに適用した場合の実施形態を図面に基づいて説明する。
【００２３】
図１は実施形態のスピードメータの正面図、図２は図１のＩＩ−ＩＩ矢視断面図、図３はその要部の断面図、図４は同要部における第１導光部材と第２導光部材を取り出して示す斜視図、図５は第１導光部材の要部の拡大図、図６は第２導光部材の出射面と第１導光部材の反射面と光源との関係を示す平面図、図７は指針回動時において１個の光源からの光が第２導光部材を通過して第１導光部材の反射面に入射するときの入射光領域と反射面の位置関係を示す平面図、図８は図７の状態から指針が右回りに９０°回動したときの状態を示す図７と同様の平面図、図９は図８の状態から指針が右回りに９０°回動したときの状態を示す図７と同様の平面図、図１０は図９の状態から指針が右回りに９０°回動したときの状態を示す図７と同様の平面図、図１１は指針の指示部から遠い側にある光源からの光が進行する経路の例を示す側断面図、図１２は指針の指示部に近い側にある光源からの光が進行する経路の例を示す側断面図、図１３は比較例として第１導光部材の反射面が平面である場合を示す側断面図である。
【００２４】
図１、図２に示すように、このスピードメータ（発光指針計器）は、凹面状の反射板部１Ａを前面に有するケース１と、このケース１の前端周縁部に連結された見返し部２と、見返し部２に保持された前面保護用のカバーガラス３と、ケース１の反射板部１Ａの前面に配され且つ速度指示目盛が記された透光性の文字盤４と、ケース１の裏面を覆う裏カバー５と、文字盤４の裏側に配設されたムーブメント７と、文字盤４の表側から文字盤４の中央の貫通孔４ａを貫通して文字盤４の裏側のムーブメント７の回転軸８に連結されることで、当該ムーブメント７により文字盤４と略平行な面内で回転駆動される指針１０と、文字盤４の裏側に文字盤４と略平行に配設された配線板６と、配線板６上に搭載された指針照明用の光源２０及び文字盤照明用の光源９と、を主な構成要素として有するものである。
【００２５】
ムーブメント７は、回転軸８を配線板６の前面側に突出させた状態で、配線板６の裏側に取り付け固定され、光源２０、９は全て配線板６の前面に実装されている。光源２０、９には、ここではＬＥＤ（発光ダイオード）が使用されているが、他のものでもよい。光源２０は、円周方向に等間隔に複数配置されている。ムーブメント７は、例えば、交差コイル型あるいはステップモーター等の電気式のもので、別途設けられた駆動回路により、回転軸８を速度センサの信号に応じた角度に回動させる。配線板６には、各種電子部品（たとえば、抵抗、コンデンサ、トランジスタ、ＩＣ等）が実装されて、ムーブメント７の駆動回路が形成されている。
【００２６】
指針１０は、文字盤４の表側に沿って延出され、光源２０から導かれた光により照明される指示部１０Ａと、光源２０からの光を指示部１０Ａまで導く導光体１０Ｂとからなる。
【００２７】
導光体１０Ｂは、文字盤４の表側に配された第１導光部材２１と、文字盤４の裏側に配され且つ文字盤４の貫通孔４ａを通して第１導光部材２１と連結された第２導光部材２２との組み合わせにより構成されている。第１導光部材２１及び第２導光部材２２は、透明な樹脂（たとえばアクリル、ポリカーボネート等）により構成されている。
【００２８】
図３に示すように、第１導光部材２１は、指示部１０Ａの一部を兼ねる針状部２１ｆと、針状部２１ｆの基部から垂直下方に突出する軸部２１ａと、軸部２１ａの第２導光部材２２側の端面に形成され円形または円環状の入射面２１ｄと、入射面２１ｄに対向し且つ入射面２１ｄから入射した光を針状部２１ｆに向けて反射する軸部２１ａの中心軸線Ｌに対して傾斜した反射面２１ｅとを有しており、前面の基部側が指針キャップ１２により覆われている。
【００２９】
また、第２導光部材２２は、ムーブメント７の回転軸８に連結された中心軸部２２ｃと、この中心軸部２２ｃと一体に成形され、ムーブメント７の回転軸８の周囲に配設された配線板６上の光源２０に向けて裾が広がった円錐状壁部２２ａとを有している。
【００３０】
中心軸部２２ｃのムーブメント７と反対側の端面は第１導光部材２１へ向けての円形または円環状の出射面２２ｎとなっており、第１導光部材２１の入射面２１ｄと密着している。即ち、第１導光部材２１の軸部２１ａの周囲には指針袴部材１４が設けられており、この指針袴部材１４の筒状部に形成された係止孔１４ａに、指針袴部材１４の筒状部に挿入した第２導光部材２２の中心軸部２２ｃの外周の爪２２ｙを係合させることで、指針袴部材１４を介して、第１導光部材２１と第２導光部材２２とが連結されており、それにより、第１導光部材２１の入射面２２ｄと第２導光部材２２の出射面２２ｎとが密着させられている。なお、これら入射面２２ｄと出射面２２ｎは、指針１０の回転軸線Ｌ（ムーブメント７の回転軸線と一致）に対して垂直な面として構成されている。
【００３１】
また、第２導光部材２２の円錐状壁部２２ａの裾が広がった側の端面には、ムーブメント７の回転軸８の軸線Ｌに対して略垂直な面をなし且つ対面する光源２０から出射される光が入射する環状の受光面２２ｄが形成されている。また、円錐状壁部２２ａの外周壁には、受光面２２ｄから第２導光部材２２の内部に入射した光が最初に反射する第１反射面２２ｅが設けられている。この第１反射面２２ｅは、受光面２２ｄから入射した光を多く集めて次の第２反射面２２ｆに向けて収束的に反射するように、円錐状壁部２２ａの母線の方向に沿って外側に凹状に湾曲した凹曲面で形成されている。
【００３２】
また、第２反射面２２ｆは、円錐状壁部２２ａの内周壁に形成され且つ第１反射面２２ｅからの反射光を第１導光部材２１の方向へ向けて反射するテーパ状の凸曲面（またはテーパ面）で構成されている。また、第１反射面２２ｅの図中上側（第１導光部材２１側）には、第２反射面２２ｆからの反射光を受けて、第１導光部材２１側へ向けて反射する第３反射面２２ｇが設けられている。この第３反射面２２ｇもテーパ状の凹曲面（またはテーパ面）により構成されている。また、中心軸部２２ｃの外周面や内周面も反射面２２ｇ、２２ｈとなっている。
【００３３】
この場合、円錐状壁部２２ａは、正円錐台の底面中央に円形の凹部２２ｂを設けることによって形成されており、第２反射面２２ｆは、円形の凹部２２ｂの内底隅部に形成されている。
【００３４】
この第２導光部材２２の凹部２２ｂの中心には、回転軸８を連結するために中心孔２２ｘが形成されており、その中心孔２２ｘに、少なくとも外周面が白色系材料により構成された軸固定部材２３が嵌合され、その軸固定部材２３に形成された軸孔２３ａにムーブメント７の回転軸８が挿入固定されている。
【００３５】
また、ここで特徴的な点として、図４、図５に示すように、第１導光部材２１の入射面２１ｄと対向する斜めの反射面２１ｅは、４つに分割された反射面２１ｅ１〜２１ｅ４で構成されている。これらの４つの反射面２１ｅ１〜２１ｅ４は、それぞれ第１導光部材２１の内部側から見て凹状（外部側から見て凸状）に一体に湾曲した凹曲面で構成されており、軸部２１ａの中心軸線Ｌとの交点Ｌａを境界に上下及び左右に分割されたものである。
【００３６】
図６に示すように、指針照明用の光源２０を円周方向に等間隔で４つ配置した場合、各光源２０−１〜２０−４からの光は、第２導光部材２２の出射面２２ｎから第１導光部材２１の入射面２１ｄに入る段階で、例えば、図中の４つの楕円で示す領域２２ｎ１〜２１ｎ４を最大光量の領域として進むので、各領域２２ｎ１〜２１ｎ４に対応するように４つの反射面２１ｅ１〜２１ｅ４が設けられていることにより、指針１０（針状部２１ｆ）が９０°回動する毎に、図６に示す状態が実現し、各反射面２１ｅ１〜２１ｅ４に最大光量の光が入射して、各反射面２１ｅ１〜２１ｅ４から針状部２１ｆへ向けて光が反射される。
【００３７】
また、実際には、楕円で示す光源２０−１〜２０−４毎の最大光量領域２２ｎ１〜２１ｎ４は、特別な境界がある訳ではないことから隣りのもの同士で重なり合うので、各反射面２１ｅ１〜２１ｅ４に複数の光源２０−１〜２０−４の光が混じり合いながら入射し、反射面２１ｅ１〜２１ｅ４で反射して針状部２１ｆへと導かれる。
【００３８】
次に作用を説明する。
【００３９】
指針照明用の光源２０からの光は、第２導光部材２２を介して第１導光部材２１に到達することで、指針１０の指示部１０Ａの一部を照明する。また、文字盤照明用の光源９からの光は、直接または反射板部１Ａで反射されることにより、文字盤４を背後から照明する。
【００４０】
指針１０の指示部１０Ａの照明についてより詳しく述べると、光源２０から出た光は、次の経路で第１導光部材２１に導かれる。
【００４１】
即ち、配線板６上の光源２０から出た光は、光源２０に対面する第２導光部材２２の円錐状壁部２２ａの受光面２２ｄに入射し、その光の多くが、第２導光部材２２の内部を通り、第１反射面２２ｅに入射する。
【００４２】
第１反射面２２ｅは凹曲面で構成されており、第１反射面２２ｅに入射した光の多くは、その凹面の収束作用により第２反射面２２ｆに向けて反射され、第２反射面２２ｆに集中的に入射する。第２反射面２２ｆに入射した光は、次に第１導光部材２１に向けて反射されるので、第２導光部材２２の内部を直進して、あるいは、第３反射面２２ｇ等により何回かの反射を繰り返しながら第１導光部材２１に導かれる。
【００４３】
そして、第１導光部材２１に導入された光が反射面２１ｅで針状部２１ｆへ向けて反射されることにより、指針１０の指示部１０Ａが照明される。
【００４４】
この場合、第２導光部材２２の第１反射面２２ｅを凹曲面で構成してあることにより、できるだけ多くの光を少ない反射回数で第２反射面２２ｆや第３反射面２２ｇ等を介して第１導光部材２１に導くことができ、反射による損失の軽減により、指針１０の指示部１０Ａの照明輝度を高めることができる。
【００４５】
また、円錐状壁部２２ａの受光面２２ｄは環状になっているから、指針１０が回転した際に、光源２０に対面する任意の位置で光を受け入れることができ、その光を第１導光部材２１に導くことができる。また、光源２０は、回転軸８を中心とする円周上に複数個（例えば４個）等間隔で設けられているので、ムラのない照明効果を得ることができる。なお、光源２０として環状光源を使用してもよい。
【００４６】
また、第１導光部材２１の入射面２１ｄと対向する斜めの反射面２１ｅを、分割された４つの反射面２１ｅ１〜２１ｅ−４で構成しているので、４つの反射面２１ｅ１〜２１ｅ−４の向きを光源２０の配置に対応させて設定することによって、指針１０の回動中の指示部１０Ａの輝度バランスを均一に保つことができる。
【００４７】
例えば、極端な例として光源２０が１つの場合（光源２０−２だけの場合）を考えて見る。その場合は、指針１０の回動により、図７〜図１０に示すように、光源２０−２からの光が主として入射する反射面２１ｅ１〜２１ｅ４が順次切り替わって行き（各図中の楕円領域２２ｎ−２は光源２０−２による最大光量城）、その経過において、針状部２１ｆに近い反射面２１ｅ１、２１ｅ４に主に光が入射する第１の場合と、針状部２１ｆから遠い反射面２１ｅ２、２１ｅ３に主に光が入射する第２の場合とが存在する。
【００４８】
ここで、図１３に示すように、反射面２１ｅが１つの分割されていない平面で構成されているとすると、反射光は第１の場合と第２の場合で同じ方向に平行に進むので、指針１０の回動により反射面２１ｅ１、２１ｅ４、２１ｅ２、２１ｅ３に入射するポイントがずれる分だけ、針状部２１ｆ内の反射光で照らされる領域がずれることになる。そうすると、指針１０の回動中に微妙に輝度バランスが崩れるおそれがある。
【００４９】
それに対し、本実施形態のように、反射面２１ｅを、分割した複数の反射面２１ｅ１〜２１ｅ４で構成してあると、各反射面２１ｅ１〜２１ｅ４の向きをそれぞれに設定することにより、前述の第１の場合と第２の場合とで、針状部２１ｆ内の同じ領域を反射光で照らすようにすることができる。従って、光源２０（２０−２）が１つの極端な場合であっても、指針１０の回動による輝度バランスの崩れを抑えることができる。
【００５０】
次に、光源が１８０°対向する位置に２つ配置されている場合を考えて見ると、その場合は、指針が１８０°回動した場合も、同じ条件で光源からの光を針状部に導くことができる。しかし指針が９０°回動した場合は、条件が異なってしまう。そこで、分割した反射面２１ｅ１〜２１ｅ４の向きを光源２０の配置に対応させて設定しておくことにより、指針１０の回動による輝度バランスの崩れを抑えることができる。
【００５１】
光源２０の数を増やせば（例えば、４つまたはそれ以上に増やせば）、輝度バランスの崩れを抑えることができるが、そうするとコスト高になる。そこで、それを反射面２１ｅの多分割化により補うようにすることもできる。つまり、反射面２１ｅを多分割化して反射光の向きを適当に散らすことにより、指針１０の回動に伴う光源２０からの光の入射ポイントの変化による輝度バランスの崩れをできるだけ抑制することができる。
【００５２】
といっても、あまり反射光の向きを散らすと、分散によるロスが増加するので、例えば、図１１に示すように針状部２１ｆに遠い反射面２１ｅ２、２１ｅ３に主に光が入射したときは近くに向けて反射するようにし、図１２に示すように、針状部２１ｆから近い反射面２１ｅ１、２１ｅ４に主に光が入射するときは遠くに向けて反射するように、反射面２１ｅ１〜２１ｅ４の向きを設定する。そうすると、コストをかけずに、指針１０の回動による輝度バランスの崩れを抑制することができる。
【００５３】
従って、輝度レベルに応じて光源２０の数を変更した場合にも、同一の指針１０を採用しながら、輝度バランスの向上と照光ロスの低減を図ることができる。
【００５４】
特に前述のように、分割された各反射面２１ｅ１〜２１ｅ４をそれぞれ凹曲面で構成してある場合は、凹曲面による集光作用を促すことができるので、狙った領域に反射光を集中させることができて、光の分散によるロスを減らすことができる。
【００５５】
また、本実施形態のように、軸部２１ａの中心軸線Ｌとの交点Ｌａを境界に反射面２１ｅ１〜２１ｅ４を分割した場合は、各反射面２１ｅ１〜２１ｅ４の設計を合理的に容易に行うことができる。さらに、軸部２１ａの中心軸線Ｌとの交点Ｌａの部分は、回転軸８上に位置していることにより、光のロスが少ない反射面２１ｅ１〜２１ｅ４が形成できる。
【００５６】
また、本実施形態では、第２導光部材２２において、正円錐台の底面に凹部２２ｂを設けることで円錐状壁部２２ａを形成しており、その円形の凹部２２ｂの内底隅部に第２反射面２２ｆを形成しているので、第１反射面２２ｅからの光を無駄な方向に漏らさずに必要な方向（第１導光部材２１の方向）へ向けて反射させることができる。
【００５７】
また、凹部２２ｂの内底部にムーブメント７の回転軸８を連結するための中心孔２２ｘを設けているので、凹部２２ｂにムーブメント７の出っ張り部分などを入れることができ、コンパクト化に貢献できる。
【００５８】
また、第２導光部材２２の中心孔２２ｘに、少なくとも外周面が白色系材料により構成された軸固定部材２３を嵌合させているので、中心孔２２ｘの周壁（反射面２２ｈに相当）による反射効率を高めることができ、輝度向上に貢献できる。
【００５９】
なお、上記実施形態では、第２導光部材２２の中心孔２２ｘに軸固定部材２３を介してムーブメント７の回転軸８を固定した場合を示したが、軸固定部材２３を省略して、ムーブメント７の回転軸８を直接第２導光部材２２の中心孔２２ｘに挿入固定することもできる。
【００６０】
また、第１導光部材２１の斜めの反射面２１ｅの分割は、上述の例のように上下左右の４分割に限らず、例えば図１４に示すように、左右の分割をせずに、上下だけの２分割（反射面２１ｅ１、２１ｅ２の２分割）にしてもよい。
【図面の簡単な説明】
【００６１】
【図１】本発明の実施形態の発光指針計器としてのスピードメータの構成を示す正面図である。
【図２】図１のＩＩ−ＩＩ矢視断面図である。
【図３】図２の要部の断面図である。
【図４】図３の要部における第１導光部材と第２導光部材を取り出して示す斜視図である。
【図５】第１導光部材の要部の拡大図である。
【図６】第２導光部材の出射面と第１導光部材の反射面と光源との関係を示す平面図である。
【図７】指針回動時において１個の光源からの光が第２導光部材を通過して第１導光部材の反射面に入射するときの入射光領域と反射面の位置関係を示す平面図である。
【図８】図７の状態から指針が右回りに９０°回動したときの状態を示す図７と同様の平面図である。
【図９】図８の状態から指針が右回りに９０°回動したときの状態を示す図７と同様の平面図である。
【図１０】図９の状態から指針が右回りに９０°回動したときの状態を示す図７と同様の平面図である。
【図１１】指針の指示部から遠い側にある光源からの光が進行する経路の例を示す側断面図である。
【図１２】指針の指示部に近い側にある光源からの光が進行する経路の例を示す側断面図である。
【図１３】比較例として第１導光部材の反射面が平面である場合を示す側断面図である。
【図１４】本発明の他の実施形態の要部を示す斜視図である。
【図１５】従来の発光指針計器の一例を示す断面図である。
【符号の説明】
【００６２】
４  文字盤
４ａ  貫通孔
６  配線板
７  ムーブメント
８  回転軸
１０  指針
１０Ａ  指示部
１０Ｂ  導光体
２０，２０−１〜２０−４  光源
２１  第１導光部材
２１ａ  軸部
２１ｄ  入射面
２１ｅ  斜めの反射面
２１ｅ１〜２１ｅ４  反射面
２１ｆ  針状部
２２  第２導光部材
２２ａ  円錐状壁部
２２ｃ  中心軸部
２２ｄ  受光面
Ｌ  回転軸線
【図１】
0005190245.tif 000002
【図２】
0005190245.tif 000003
【図３】
0005190245.tif 000004
【図４】
0005190245.tif 000005
【図５】
0005190245.tif 000006
【図６】
0005190245.tif 000007
【図７】
0005190245.tif 000008
【図８】
0005190245.tif 000009
【図９】
0005190245.tif 000010
【図１０】
0005190245.tif 000011
【図１１】
0005190245.tif 000012
【図１２】
0005190245.tif 000013
【図１３】
0005190245.tif 000014
【図１４】
0005190245.tif 000015
【図１５】
0005190245.tif 000016